(57)【特許請求の範囲】
【請求項１】
テープ上の各トラックを第１のエリアと第２のエリアに分類し、上記第１のエリアに入力ＡＴＶのデータストリームをそのまま記録すると共に、上記ＡＴＶのデータストリームより抽出した一部のデータを変速再生用のデータとして上記第２のエリアに記録するようにしたディジタルビデオ信号の記録装置において、
上記第２のエリアを、±（N＋０．５）倍速においてヘッドがトレースする再生可能エリアの少なくとも１つに選定し、
上記最大変速再生速度の倍速数（２N±１）に対応する数の同一アジマスのトラックに、上記変速再生用のデータを繰り返して記録するようにしたことを特徴とするディジタルビデオ信号の記録装置。
【請求項２】
上記再生可能エリアは、各トラックの両端部および中央部であることを特徴とする請求項１記載のディジタルビデオ信号の記録装置。
【請求項３】
上記変速再生用のデータは、ビットストリーム中の各ブロックのデータの低域係数を抽出したものである請求項１記載のディジタルビデオ信号の記録装置。
【請求項４】
上記第２のエリアは、ダブルアジマスヘッドのギャップ間距離に対応して設定するようにした請求項１記載のディジタルビデオ信号の記録装置。
【請求項５】
上記第２のエリアは、オーディオ用のセクタとして割当てられていたエリアに設けられることを特徴とする請求項１記載のディジタルビデオ信号の記録装置。
【請求項６】
テープ上の各トラックを第１のエリアと第２のエリアとに分類し、上記第１のエリアに入力ＡＴＶのデータストリームをそのまま記録すると共に、上記ＡＴＶのデータストリームより抽出した一部のデータストリームを変速再生用のデータとして上記第２のエリアに記録し、
上記第２のエリアは、±（N＋０．５）倍速においてヘッドがトレースする再生可能エリアの少なくとも１つに選定されており、
上記最大変速再生速度の倍速数（２N±１）に対応する数の同一アジマスのトラックに、上記変速再生用のデータを繰り返して記録した記録媒体を再生するディジタルビデオ信号の再生装置において、
変速再生速度を、上記最大変速再生速度及び／又は２スキャンで同一アジマスのトラックの１トラック分を再生できる速度に設定するようにしたことを特徴とするディジタルビデオ信号の再生装置。
【請求項７】
上記再生可能エリアは、各トラックの両端部および中央部であることを特徴とする請求項６記載のディジタルビデオ信号の再生装置。
【請求項８】
１画面分のデータをバッファするメモリを有し、変速再生時に再生データを上記バッファに蓄え、１画面分のデータがまとまったら、上記バッファを更新するようにした請求項６記載のディジタルビデオ信号の再生装置。
【請求項９】
上記第２のエリアは、オーディオ用のセクタとして割当てられていたエリアに設けられることを特徴とする請求項６記載のディジタルビデオ信号の再生装置。
【請求項１０】
テープ上の各トラックを第１のエリアと第２のエリアに分類し、上記第１のエリアに入力ＡＴＶのデータストリームをそのまま記録すると共に、上記ＡＴＶのデータストリームより抽出した一部のデータを変速再生用のデータとして上記第２のエリアに記録し、
上記第２のエリアを、±（N＋０．５）倍速においてヘッドがトレースする再生可能エリアの少なくとも１つに選定し、
上記最大変速再生速度の倍速数（２N±１）に対応する数の同一アジマスのトラックに、上記変速再生用のデータを繰り返して記録し、
変速再生速度を上記最大変速再生速度及び／又は２スキャンで同一アジマスのトラックの１トラック分を再生できる速度に設定し、
上記第２のエリアから再生された変速再生用データを再生して変速再生を行うようにしたディジタルビデオ信号の記録再生装置。
【請求項１１】
上記再生可能エリアは、各トラックの両端部および中央部であることを特徴とする請求項１０記載のディジタルビデオ信号の記録再生装置。
【請求項１２】
上記第２のエリアは、オーディオ用のセクタとして割当てられていたエリアに設けられることを特徴とする請求項１０記載のディジタルビデオ信号の記録再生装置。
【請求項１３】
テープ上の各トラックを第１のエリアと第２のエリアとに分類し、上記第１のエリアに入力ＡＴＶのデータストリームをそのまま記録すると共に、上記ＡＴＶのデータストリームより抽出した一部のデータストリームを変速再生用のデータとして上記第２のエリアに記録し、
上記第２のエリアは、±（N＋０．５）倍速においてヘッドがトレースする再生可能エリアの少なくとも１つに選定されており、
上記最大変速再生速度の倍速数（２N±１）に対応する数の同一アジマスのトラックに、上記変速再生用のデータを繰り返して記録するようにしたことを特徴とするディジタルビデオ信号の記録媒体。
【請求項１４】
上記再生可能エリアは、各トラックの両端部および中央部であることを特徴とする請求項１３記載のディジタルビデオ信号の記録媒体。
【請求項１５】
上記第２のエリアは、オーディオ用のセクタとして割当てられていたエリアに設けられることを特徴とする請求項１３記載のディジタルビデオ信号の記録媒体。
【発明の詳細な説明】
【０００１】
【産業上の利用分野】
この発明は、ＡＴＶ（Ａｄｖａｎｃｅｄ  Ｔｅｌｅｖｉｓｉｏｎ  ）信号を回転ヘッドにより直接磁気テープに記録再生できるディジタルビデオ信号の記録装置、再生装置、記録再生装置及びディジタルビデオ信号の記録媒体に関するもので、特に、変速再生の改善に係わる。
【０００２】
【従来の技術】
入力ディジタルビデオ信号をＤＣＴ（Ｄｉｓｃｒｅｔｅ  Ｃｏｓｉｎｅ  Ｔｒａｎｓｆｏｒｍ  ）変換し、可変長符号化により圧縮して、回転ヘッドにより磁気テープに記録するディジタルＶＴＲの開発が進められている。このようなディジタルＶＴＲでは、ＮＴＳＣ方式等の現行テレビジョン方式のビデオ信号を記録するモード（以下、ＳＤモードとする）と、ＨＤＴＶ信号を記録するモード（以下、ＨＤモードとする）が設定できる。ＳＤモードでは、ビデオ信号が約２５Ｍｂｐｓに圧縮されて記録される。ＨＤモードでは、ビデオ信号が約５０Ｍｂｐｓに圧縮されて記録される。
【０００３】
上述のように、従来では、ＨＤＴＶ信号をディジタルＶＴＲで記録する場合、ＨＤモードでＨＤＴＶ信号を圧縮して記録している。ところが、ＡＴＶ（Ａｄｖａｎｃｅｄ  Ｔｅｌｅｖｉｓｉｏｎ  ）のように、全ディジタル方式の場合には、信号が圧縮されて伝送されるので、伝送されてきた信号をディジタルＶＴＲで直接記録できる。このように、伝送されてきた信号をディジタルＶＴＲに直接記録すると、伝送されてきた信号からＨＤＴＶ信号をデコードし、それを圧縮して又は再びエンコードしてディジタルＶＴＲに入力する必要はなく、ハードウェアの無駄がなくなるという利点がある。
【０００４】
つまり、ＡＴＶでは、動画像の国際標準方式であるＭＰＥＧ（Moving Picture Coding Experts Group ）（ＭＰＥＧ１、ＭＰＥＧ２）に準拠した画像圧縮により、ＨＤＴＶ信号が圧縮され、パケット化されて伝送される。
【０００５】
図２４は、ＡＴＶの送信系の構成を示すものである。図２４において、１０１はビデオ圧縮エンコーダ、１０２はオーディオエンコーダである。ビデオ圧縮エンコーダ１０１には、入力端子１０３からＨＤＴＶ方式のビデオ信号が供給される。オーディオエンコーダ１０２には、入力端子１０４からオーディオ信号が供給される。
【０００６】
ビデオ圧縮エンコーダ１０１は、動画像の国際標準方式であるＭＰＥＧ方式に準拠した方式で、入力されたＨＤＴＶ信号を圧縮する。
【０００７】
すなわち、ビデオ圧縮エンコーダ１０１は、ＨＤＴＶ信号をＤＣＴと動き補償を組み合わせた高能率符号化方式を用いて圧縮する。ビデオ圧縮エンコーダ１０１からは、図２５に示すように、フレーム内符号化したフレーム（Ｉフレームと称される）と、前方向予測符号化したフレーム（Ｐフレームと称される）と、両方向予測符号化したフレーム（Ｂフレームと称される）とが所定の順番で送られる。Ｉフレームでは、他のフレームとの相関を利用することなく、独立にＤＣＴ変換される。Ｐフレームでは、それより前のＩフレーム又はＰフレームから動き補償予測が行われ、その差分信号がＤＣＴ変換される。Ｂフレームでは、前後のＩフレーム又はＰフレームから動き補償予測が行われ、その差分信号がＤＣＴ変換される。Ｉフレームが現れる周期はＧＯＰ（Ｇｒｏｕｐ  Ｏｆ  Ｐｉｃｔｕｒｅ）と呼ばれている。この例では、（Ｍ＝３、Ｎ＝９）とされている。
【０００８】
図２４において、１０５はプライオリティエンコーダである。プライオリティエンコーダ１０５は、圧縮されたＨＤＴＶ信号データに優先順位をつけるものである。以下に優先順位の一例が示されている。
【０００９】
0003572659.tif 000002
【００１０】
このように、Ｉフレームでは、フレームヘッダが第１の優先順位で、Ｉフレームのスライスヘッダ、マクロブロックアドレス、タイプ及び量子化ステップ、直流値、低周波係数、高周波係数と優先順位が続いていく。Ｐ及びＢフレームでは、フレームヘッダ、スライスヘッダ、マクロブロックアドレス、タイプ及び量子化ステップ、動きベクトル、直流値、低周波係数、高周波係数と優先順位が続いていく。
【００１１】
１０６はトランスポートエンコーダで、トランスポートエンコーダ１０６は、プライオリティエンコーダ１０５で優先順位が付けられたビデオデータ、及びオーディオエンコーダ１０４でエンコードされたオーディオデータ、入力端子１０７からの付加情報から、パケットを生成する。パケットには、優先度の高いパケットと優先度が低いパケットとがある。優先度の高いパケットはＨＰ（Ｈｉｇｈ  Ｐｒｉｏｒｉｔｙ  ）パケットと呼ばれ、優先度の低いパケットはＳＰ（Ｓｔａｎｄａｒｄ  Ｐｒｉｏｒｉｔｙ  ）パケットと呼ばれる。ＨＰパケットとＳＰパケットとの比は１対４である。通常の画像では、Ｉフレームのヘッダから低域係数までとＰ及びＢフレームのヘッダから動きベクトルまでがＨＰパケットで伝送される。ＨＰパケットは、高い出力電力の搬送波で伝送される。ＳＰパケットは、低い出力電力の搬送波で伝送される。
【００１２】
図２６はパケットの構成を示すものである。図２６Ａに示すように、伝送されるパケットのパケット長は１４８バイトとされている。このパケットの先頭には、シンクが設けられ、これに続いて、伝送データと誤り訂正用のパリティが付加されている。
【００１３】
図２６Ｂは、伝送データの詳細が示されている。伝送データの先頭には、サービスタイプＳＴが設けられている。このサービスタイプＳＴには、図２７に示すように、このパケットが優先度の高いＨＰパケットか優先度の低いＳＰパケットかを示す情報Ｐと、ビデオかオーディオか等の識別情報ＩＤと、０〜１５にカウントするカウンタＣＣとが含められる。
【００１４】
サービスタイプＳＴに続いて、アフターヘッダＡＨを設けられる。図２８ＡはＨＰパケットのアフターヘッダであり、図２８ＢはＳＰパケットのアフターヘッダである。ＨＰパケットのアフターヘッダＡＨには、転送データの入力点の最初のビットを示すスライスの開始ポインタ、フレームタイプ、フレームナンバ、フレーム中でのスライスナンバ、量子化ファクタが含められる。ＳＰパケットのアフターヘッダＡＨには、マクロブロックの開始ポインタ、フレームタイプ、フレームナンバ、フレーム中でのマクロブロックナンバが含められる。
【００１５】
図２４において、１０８はチャンネルモジュレータである。転送エンコーダ１０６で生成されたＨＰパケット及びＳＰパケットは、チャンネルモジュレータ１０８に供給される。チャンネルモジュレータ１０８で、このＨＰパケット及びＳＰパケットが２つの搬送波を使って変調される。チャンネルモジュレータ１０８の出力が出力端子１０９から出力される。
【００１６】
ＡＴＶ方式では、上述のような画像圧縮により、例えば、１７〜１９Ｍｂｐｓ程度でＨＤＴＶ信号を転送できる。これは、上述のディジタルＶＴＲのＳＤモードでの記録レート（約２５Ｍｂｐｓ）以下である。したがって、ＡＴＶ方式で送られていた信号は、ディジタルＶＴＲのＳＤモードで直接記録できる。このように、伝送されてきた信号をディジタルＶＴＲに直接記録すると、伝送されてきた信号からＨＤＴＶ信号をデコードし、それをディジタルＶＴＲに入力する必要はなく、ハードウェアの無駄がなくなる。また、ＳＤモードで記録できるので、記録時間が長くとれる。
【００１７】
ところが、このようにＡＴＶ信号をＳＤモードでディジタルＶＴＲに直接記録すると、以下の理由により、良好な変速再生が行えないという問題が生じてくる。
【００１８】
すなわち、上述のように、ＡＴＶ方式では、ＭＰＥＧ方式に準拠した圧縮が行われる。この方式では、上述のように、フレーム内符号化したＩフレームと、前方向予測符号化したＰフレームと、両方向予測符号化したＢフレームとが送られてくる。変速再生時には、ヘッドがトラックを過るので、連続したフレームのデータが得られなくなる。連続したフレームのデータが得られないと、Ｐフレーム及びＢフレームのデータはデコードできない。デコードできるのは、フレーム内で符号化されたＩフレームのデータだけである。このＩフレームのデータは、通常、全てＨＰパケットで送られる。したがって、変速再生時には、再生されるデータのうち、ＨＰパケットのＩフレームのデータのみ使うことで、変速再生が可能となる。
【００１９】
ところが、ＡＴＶで伝送されてきた信号を直接ディジタルＶＴＲに記録していくと、変速再生時にＩフレームを含むＨＤパケットが十分に拾えない。また、Ｉフレームのデータがどのような位置関係で記録されるのかが不定になる。このため、変速再生時に画面の特定部分に相当するＩフレームのデータが抜けてしまい、その部分の画面だけが暫く更新できないというようなことがあり、変速再生時の画質が劣化する。
【００２０】
そこで、本願発明者は、先に、変速再生時の再生可能エリアを変速再生用のエリアとし、入力されるＡＴＶ信号のデータストリームから、Ｉフレームのデータを含むＨＰデータを抽出し、このデータを変速再生用のエリアに記録し、ビデオセクタのその他のエリアには、ＡＴＶ信号をそのまま記録するようにしたものを提案している。この場合、変速再生時には、変速再生用のエリアが再生され、このエリアから再生されたＩフレームのデータから画面が形成される。
【００２１】
【発明が解決しようとする課題】
ところが、変速再生時の再生可能エリアは、変速再生速度によって変わってくる。このため、変速再生速度を複数設定することが困難である。例えば、１７倍速で再生可能となるエリアに変速再生用のデータを記録すると、１７倍速で再生可能となるエリアは４倍速及び９倍速のときにも再生可能なので、４倍速と、９倍速と、１７倍速との３つの速度で変速再生が可能になるが、それ以外の速度で変速再生を行うことは困難である。
【００２２】
したがって、この発明の目的は、ＡＴＶ信号を直接記録した場合に、複数の変速再生速度で、容易に変速再生が行なえるディジタルビデオ信号の記録装置、再生装置、記録再生装置及びディジタルビデオ信号の記録媒体を提供することにある。
【００２３】
【課題を解決するための手段】
この発明に係わるディジタルビデオ信号の記録装置は、テープ上の各トラックを第１のエリアと第２のエリアに分類し、第１のエリアに入力ＡＴＶのデータストリームをそのまま記録すると共に、ＡＴＶのデータストリームより抽出した一部のデータを変速再生用のデータとして第２のエリアに記録するようにしたディジタルビデオ信号の記録装置において、第２のエリアを、±（N＋０．５）倍速においてヘッドがトレースする再生可能エリアの少なくとも１つに選定し、最大変速再生速度の倍速数（２N±１）に対応する数の同一アジマスのトラックに、変速再生用のデータを繰り返して記録するようにしたことを特徴とする。
【００２４】
この発明に係わるディジタルビデオ信号の記録装置では、変速再生用のデータは、ビットストリーム中の各ブロックのデータの低域係数を抽出している。
【００２５】
この発明に係わるディジタルビデオ信号の記録装置では、第２のエリアは、ダブルアジマスヘッドのギャップ間距離に対応して設定するようにしている。
。
【００２６】
この発明に係わるディジタルビデオ信号の記録装置では、第２のエリアは、オーディオ用のセクタとして割当てられていたエリアに設けられる。
【００２７】
この発明に係わるディジタルビデオ信号の再生装置は、テープ上の各トラックを第１のエリアと第２のエリアとに分類し、第１のエリアに入力ＡＴＶのデータストリームをそのまま記録すると共に、ＡＴＶのデータストリームより抽出した一部のデータストリームを変速再生用のデータとして第２のエリアに記録し、第２のエリアは、±（N＋０．５）倍速においてヘッドがトレースする再生可能エリアの少なくとも１つに選定されており、最大変速再生速度の倍速数（２N±１）に対応する数の同一アジマスのトラックに、変速再生用のデータを繰り返して記録した記録媒体を再生するディジタルビデオ信号の再生装置において、変速再生速度を、最大変速再生速度及び／又は２スキャンで同一アジマスのトラックの１トラック分を再生できる速度に設定するようにしたことを特徴とする。
【００２８】
この発明に係わるディジタルビデオ信号の再生装置では、１画面分のデータをバッファするメモリを有し、変速再生時に再生データをバッファに蓄え、１画面分のデータがまとまったら、バッファを更新するようにしている。
【００２９】
この発明に係わるディジタルビデオ信号の再生装置では、第２のエリアは、オーディオ用のセクタとして割当てられていたエリアに設けられる。
【００３０】
この発明に係わるディジタルビデオ信号の記録再生装置は、テープ上の各トラックを第１のエリアと第２のエリアに分類し、第１のエリアに入力ＡＴＶのデータストリームをそのまま記録すると共に、ＡＴＶのデータストリームより抽出した一部のデータを変速再生用のデータとして第２のエリアに記録し、第２のエリアを、±（N＋０．５）倍速においてヘッドがトレースする再生可能エリアの少なくとも１つに選定し、最大変速再生速度の倍速数（２N±１）に対応する数の同一アジマスのトラックに、変速再生用のデータを繰り返して記録し、変速再生速度を最大変速再生速度及び／又は２スキャンで同一アジマスのトラックの１トラック分を再生できる速度に設定し、第２のエリアから再生された変速再生用データを再生して変速再生を行うようにしている。
【００３１】
この発明に係わるディジタルビデオ信号の記録再生装置では、第２のエリアは、オーディオ用のセクタとして割当てられていたエリアに設けられる。
【００３２】
この発明に係わるディジタルビデオ信号の記録媒体は、テープ上の各トラックを第１のエリアと第２のエリアとに分類し、第１のエリアに入力ＡＴＶのデータストリームをそのまま記録すると共に、ＡＴＶのデータストリームより抽出した一部のデータストリームを変速再生用のデータとして第２のエリアに記録し、第２のエリアは、±（N＋０．５）倍速においてヘッドがトレースする再生可能エリアの少なくとも１つに選定されており、最大変速再生速度の倍速数（２N±１）に対応する数の同一アジマスのトラックに、変速再生用のデータを繰り返して記録するようにしたことを特徴とする。
【００３３】
この発明に係わるディジタルビデオ信号の記録媒体では、第２のエリアは、オーディオ用のセクタとして割当てられていたエリアに設けられる。
【００３４】
テープ上にトリックプレイエリアを設け、このトリックプレイエリアに変速再生用のデータを記録しておく。変速再生用のトリックプレイエリアを、最大変速再生時に再生可能となるエリアとし、同一アジマスの最大変速再生速度の倍速数に対応するトラック数だけ、変速再生用のデータを繰り返して記録する。変速再生速度を、１．５倍速、２．５倍速、…、（Ｎ＋０．５）倍速にすると、２スキャンで同一アジマスのトラックが全て再生されるので、最大変速再生速度と、１．５倍速、２．５倍速、…、（Ｎ＋０．５）倍速の変速再生が可能になる。
【００３５】
【実施例】
以下、この発明の実施例について図面を参照して説明する。図１は、この発明が適用されたビデオ記録再生システムの一例である。図１において、１はチャンネルデモジュレータである。チャンネルデモジュレータ１には、入力端子２からＡＴＶ方式の伝送データが入力される。チャンネルデモジュレータ１で、伝送データからパケットが復調される。伝送されてくるパケットには、重要度の高いデータを転送するＨＰパケットと、重要度の低いデータを転送するＳＰパケットがある。
【００３６】
３はディジタルＶＴＲである。ディジタルＶＴＲ３は、インターフェース及びフォーマット変換部４と記録再生部５とを備えている。チャンネルデモジュレータ１からのＨＰパケット及びＳＰパケットは、インターフェース及びフォーマット変換部４を介して、トランスポート及びプライオリティデコーダ６に供給されると共に、記録再生部５に供給される。インターフェース及びフォーマット変換部４を介して記録再生部５に転送されてきたデータは、記録再生部５で回転ヘッドにより磁気テープに記録することができる。また、インターフェース及びフォーマット変換部４は、記録再生部５で記録した記録データを変速再生したときに、再生画面が良好になるように、記録再生部５に送られるデータをフォーマットする。これについては、後に詳述する。
【００３７】
記録再生部５は、ディジタルビデオ信号をＤＣＴ変換及び可変長符号化して圧縮し、回転ヘッドにより磁気テープに記録する構成ものである。この記録再生部５は、ＮＴＳＣ方式等のビデオ信号を記録するＳＤモードと、ＨＤＴＶ信号を記録するＨＤモードとが設定できる。ＡＴＶ方式の伝送データを復調して直接記録する場合には、ＳＤモードに設定される。
【００３８】
トランスポート及びプライオリティデコーダ６は、転送されてきたＨＰパケット及びＳＰパケットのエラー訂正を行うと共に、転送されてきたＨＰパケット及びＳＰパケットから転送データ及び付加データを取り出す。通常の画像では、Ｉフレームのへッダーから低域係数までと、Ｐ及びＢフレームのヘッダから動きベクトルまでとが、ＨＰパケットで伝送されてくる。それ以外は、ＳＰパケットで伝送されてくる。
【００３９】
７はビデオ伸長デコーダ、８はオーディオデコーダである。ビデオ伸長デコーダ７は、ＭＰＥＧ方式に準拠して、ハフマン符号の復号、ＤＣＴ逆変換を行って、送られてきたデータを伸長し、ＨＤＴＶのベースバンド信号を形成するものである。ビデオ伸長デコーダ７及びオーディオデコーダ８には、トランスポート及びプライオリティデコーダ６の出力が供給される。ビデオ伸長デコーダ７で、伝送されてきたデータが伸長され、ＨＤＴＶ信号が形成される。このようにして形成されたＨＤＴＶ信号は、出力端子９から出力される。また、オーディオデコーダ８により、オーディオデータがデコードされ、このオーディオデータが出力端子１０から出力される。また、トランスポート及びプライオリティデコーダ６から出力される付加情報は、出力端子１１から出力される。
【００４０】
図２は、この発明が適用されたＶＴＲにおける記録再生部５の記録系の構成を示すものである。図２において、２１はＮＴＳＣ方式等の現行テレビジョン方式のビデオ信号又はＨＤＴＶ信号の入力端子である。外部からのビデオ信号を記録する場合には、入力端子２１に、現行テレビジョン方式のビデオ信号又はＨＤＴＶ信号のコンポーネントビデオ信号が供給される。入力端子２１からのコンポーネントビデオ信号はＡ／Ｄコンバータ２２に供給され、Ａ／Ｄコンバータ２２でこのコンポーネントビデオ信号がディジタル信号に変換される。
【００４１】
２３はＤＣＴ圧縮回路である。ＤＣＴ圧縮回路２３は、ＤＣＴ変換と可変長符号化により、入力ビデオ信号を圧縮する。Ａ／Ｄコンバータ２２の出力は、ＤＣＴ圧縮回路２３に供給され、圧縮される。すなわち、Ａ／Ｄコンバータ２２からのコンポーネントビデオ信号は、ブロック化され、シャフリングされ、ＤＣＴ変換が行われる。ＤＣＴ変換されたデータは、所定のバッファ単位でバッファされる。そして、この所定のバッファ単位の総符号量が推定され、総符号量が所定値以下となるような最適な量子化テーブルが決定され、この最適な量子化テーブルで量子化される。そして、可変長符号化された後、フレーム化される。
【００４２】
２４は、伝送されてきたＡＴＶ方式の信号を記録する場合と、入力端子２１からのビデオ信号を記録する場合とで切り換えられるスイッチ回路である。スイッチ回路２４の端子２４Ａには、前述のインターフェース及びフォーマット変換部４を介して、ＡＴＶ方式の信号が供給される。スイッチ回路２４の端子２４Ｂには、ＤＣＴ圧縮回路２３の出力が供給される。伝送されてきたＡＴＶ方式の信号を記録する場合には、スイッチ回路２４が端子２４Ａ側に設定される。入力端子２１からのビデオ信号を記録する場合には、スイッチ回路２４が端子２４Ｂ側に設定される。
【００４３】
２５はフレーム化回路である。フレーム化回路２５は、記録データを所定のシンクブロックに展開すると共にエラー訂正符号化処理を行う。
【００４４】
２６はチャンネルエンコーダである。スイッチ回路２４の出力は、チャンネルエンコーダ２６に供給され、変調される。チャンネルエンコーダ２６の出力は、記録アンプ２７を介して回転ヘッド２８に供給される。回転ヘッド２８により、磁気テープ（図示せず）に圧縮された入力端子２１からのビデオ信号又はＡＤ−ＨＤＴＶ信号が記録される。
【００４５】
このような記録系において、伝送されてきたＡＴＶ方式の信号を記録する場合には、スイッチ回路２４が端子２４Ａ側に切り換えられる。このため、インターフェース及びフォーマット変換部４を介して入力されたＡＴＶ方式の信号は、フレーム化回路２５でフレーム化され、チャンネルエンコーダ２６で変調され、回転ヘッド２８により磁気テープに記録される。
【００４６】
入力端子２１からのビデオ信号を記録する場合には、スイッチ回路２４が端子２４Ｂ側に切り換えられる。このため、入力端子２１からのビデオ信号は、ＤＣＴ圧縮回路２３により圧縮され、フレーム化回路２５でフレーム化され、チャンネルエンコーダ２６により変調され、回転ヘッド２８により磁気テープに記録される。
【００４７】
ＡＴＶ信号の記録時には、インターフェース及びフォーマット変換部４は、変速再生時の画質の向上を図るために、後に説明するように、変速再生時の再生可能エリアがトリックプレイエリアとされ、このトリックプレイエリアにＩフレームのデータがＨＰパケットデータとして記録されるように、データを配列する。変速再生時には、このトリックプレンエリアからＩフレームのデータが読み出され、このＩフレームのデータがデコードされる。
【００４８】
図３は、ディジタルＶＴＲ３の記録再生部５の再生系の構成を示すものである。図３において、磁気テープの記録信号は、回転ヘッド２８により再生され、再生アンプ５１を介して、チャンネルデコーダ５２に供給される。チャンネルデコーダ５２は、上述の記録系のチャンネルエンコーダ２６に対応する変調方式で、再生信号を復調するものである。
【００４９】
５３はＴＢＣ（Ｔｉｍｅ  Ｂａｓｅ  Ｃｏｒｒｅｃｔｏｒ  ）である。ＴＢＣ５３は、再生信号の時間軸変動成分を除去するためのものである。ＴＢＣ５３には、再生信号に基づく書き込みクロックと、基準信号に基づく読み出しクロックが与えられる。チャンネルデコーダ５２の出力は、ＴＢＣ５３に供給される。ＴＢＣ５３により、再生信号中の時間軸変動成分が除去される。
【００５０】
５４はデフレーム化回路である。デフレーム化回路５４は、記録系のフレーム化回路２５に対応しており、再生データのエラー訂正処理等を行う。デフレーム化回路５４には、ＴＢＣ５３の出力が供給される。
【００５１】
５５はスイッチ回路であり、このスイッチ回路５５は、ＡＴＶ方式の信号を再生する場合と、コンポーネントビデオ信号を再生する場合とで切り換えられる。デフレーム回路５４の出力は、スイッチ回路５５に供給される。再生信号がＡＴＶ方式の信号の場合には、スイッチ回路５５が端子５５Ａ側に切り換えられる。再生信号がコンポーネントビデオ信号の場合には、スイッチ回路５５が端子５５Ｂ側に切り換えられる。
【００５２】
５６はＤＣＴ伸長回路である。ＤＣＴ伸長回路５６は、記録系のＤＣＴ圧縮回路２３に対応している。すなわち、ＤＣＴ伸長回路５６は、可変長符号を復号し、逆ＤＣＴ変換を行うことにより、圧縮されて記録されたビデオ信号を元のベースバンドビデオ信号に伸長する。ＤＣＴ伸長回路５６には、スイッチ回路５５の端子５５Ｂの出力が供給される。ＤＣＴ伸長回路５６により、圧縮ビデオ信号がベースバンドビデオ信号に戻され、このビデオ信号が出力端子５７から出力される。
【００５３】
５８はヘッダデコーダ、５９はパケット選択回路である。ヘッダデコーダ５８は、ＡＴＶの再生信号のヘッダをデコードし、この再生信号がＩフレームのデータかどうかを識別する。Ｉフレームのパケットかどうかは、パケットのヘッダから識別できる。ヘッダデコーダ５８には、スイッチ回路５５の端子５５Ａの出力が供給される。このヘッダデコーダ５８の出力がパケット選択回路５９に供給される。変速再生時にはＩフレームのデータのみ有効である。パケット選択回路５９は、変速再生時に、Ｉフレームのデータのパケットを選択して出力する。パケット選択回路５９の出力が出力端子６０から出力される。
【００５４】
６１はコントローラである。コントローラ６１は、通常再生と変速再生とを切り換える制御を行っている。コントローラ６１には、入力部６２からモード設定信号が供給される。このモード設定信号に応じて、サーボ回路６３及びパケット選択回路５９が設定される。ＡＴＶ信号の変速再生時には、サーボ回路６３により、ＡＴＦ等のトラッキング信号を利用して、テープ速度制御に位相情報が加えられ、ヘッドのトレースとトラックの位置関係が常に同じに保たれ、トラック内の再生可能エリアが固定される。この再生可能エリアは、後に説明するように、トリックプレイエリアとされている。変速再生時には、このトリックプレイエリアが再生され、Ｉフレームのデータが再生される。
【００５５】
出力端子６０からの出力は、ビデオ伸長デコーダ７（図１）に送られ、デコードされる。後に説明するように、この発明の一実施例では、Ｉフレームの１画面分のデータが全てトリックプレイエリアに記録される。このため、変速再生時、実際の画面も１画面分まとまって更新され、見やすい変速再生画を得ることができる。
【００５６】
この発明が適用されたディジタルビデオ信号の記録再生装置における変速再生について、詳述する。
【００５７】
図４は、このようなディジタルＶＴＲにおける１トラックの構成を示すものである。１トラックは、オーディオセクタＳＥＣ１と、ビデオセクタＳＥ２と、サブコードセクタＳＥＣ３とから構成される。ビデオセクタＳＥＣ２には、図５に示すように、１３５シンクブロック分のビデオデータの容量が用意される。各シンクブロックの先頭には、５バイトのシンク及びＩＤが付加される。これらのビデオデータに、３シンクブロック相当の予備データ（ＶＡＵＸ）が付加される。そして、積符号を用いて、２重にエラー訂正符号が付加される。
【００５８】
このように、１トラックのビデオセクタＳＥＣ１には、１３５シンクブロック分のビデオデータが記録できる。また、ＳＤモードでは、ドラムの回転数は１５０Ｈｚで、ドラム上には互いに異なるアジマスの２ヘッドが位置し、データは１フレーム当たり１０トラックにアジマス記録される。図６に示すように、ＡＴＶ信号を記録する場合、１シンクブロック内のデータエリア７７バイトのうち７５バイトをデータ記録用に使うとすると、
７５×８×１３５×１０×３０≒２４Ｍｂｐｓ
が記録用に使えるデータレートとなる。
【００５９】
一方、ＡＴＶ信号のデータレートは１７〜１９Ｍｂｐｓ程度である。このため、伝送されてきたＡＴＶ信号をＳＤモードで記録すると、記録エリアに余裕が生じる。そこで、変速再生時の画質を改善するために、ＳＤモードでＡＴＶ信号を記録するときには、変速再生時に必要なデータ、すなわちＩフレームのデータが重複して記録される。そして、この発明の一実施例では、この余裕の記録エリアに記録するＩフレームのデータを、１フレーム分のデータ（Ｉフレームの低域係数データ）全てとされる。これにより、変速再生時に、１画面単位で更新できる。
【００６０】
図７は、ＡＴＶ信号を記録再生する際の概念図である。テープ３１のビデオセクタ上の各エリアは、メインエリアＡ１と、トリックプレイエリアＡ２とに分けられる。トリックプレイＡ２は、上述の余裕の記録エリアに相当し、このエリアは、変速再生時に再生可能なエリアに設けられる。記録時、入力されたＡＴＶ信号のビットストリームは、メインエリアＡ１にそのまま記録されるとともに、ＶＬＤデコード回路３４に供給される。ＶＬＤデコード回路３４で、入力ビットストリームがデコードされる。ＶＬＤデコード回路３４の出力がカウンタ３５に供給される。カウンタ３５で、変速再生に必要なデータ部分がカウントされる。カウンタ３５の出力がデータ分離回路３６に供給される。データ分離回路３６により、ＶＬＤデコード回路３４の出力に基づいて、入力ビットストリームのなかから、変速再生に必要なデータ部分が抽出される。
【００６１】
ここで、変速再生に必要なデータとは、Ｉフレームの各ブロックの低域係数のみ（ＨＰパケットデータ）である。この変速再生時に必要なＩフレームのデータは、ＥＯＢ付加回路３７に供給される。ＥＯＢ付加回路３７により、ブロックの終わりを示すＥＯＢが付加される。この変速再生に必要なＩフレームのデータは、ＨＰパケットデータとしてトリックプレイエリアＡ２に記録される。
【００６２】
通常再生時には、メインエリアＡ１からの再生信号がデコードされる。変速再生時には、トリックプレイエリアＡ２のみが再生され、デコードされる。したがって、変速再生時は、ＨＰパケットデータのみがビデオ伸長デコーダ７に送られる。これが通常のビデオ伸長デコーダでもデコードできるようにするためには、送出されるデータ構成が通常のビットストリームと同じでなければならない。そこで、記録時に各ブロックから低域成分を抽出した後ブロックの終わりを示すＥＯＢが付加されている。
【００６３】
次に、変速再生用、ＨＰデータを記録するトリックプレイエリアの決定方法について説明する。
【００６４】
先ず、各データレートの関係から、ディジタルＶＴＲの記録レートを２４．９４８Ｍｂｐｓ、ＡＴＶのレートを１９．２Ｍｂｐｓとすると、各トラックのビデオセクタのうち、
１３５×（１９．２／２４．９４８）＝１０４シンクブロック
がメインエリアとして通常再生用のデータ記録に使用される。
１３５−１０４＝３１シンクブロック
がトリックプレイエリアとして変速再生用のＨＰデータの記録に使用できる。
【００６５】
図８は、変速再生時（例えば１７倍速）のヘッド軌跡を表したものである。図８に示すようにヘッドがトレースすると、ＴＰで示す部分が再生可能エリアとなる。この再生可能エリアＴＰが変速再生用のＨＰデータを記録するトリックプレイエリアとして利用される。ヘリカルスキャンとアジマス記録のＶＴＲでは、ＴＰから再生されるデータは、図９に示すように、バースト状になる。この再生可能なエリアのトラック上の位置をＡＴＦ等により固定し、この再生可能エリアにＨＰデータを記録すれば、このＨＰデータは必ず再生される。
【００６６】
この発明の一実施例では、以下のようにして、トリックプレイエリアを決定している。
【００６７】
変速再生時の最大速度が、奇数倍速、すなわち（２Ｎ＋１）倍速に選定される。そして、この最大速度で再生した時に再生可能となるエリアがトリックプレイエリアとされる。例えば、図８では、変速再生時の最大速度が、奇数倍速である１７倍速に設定されている。この１７倍速で再生した時に再生可能となるエリアがトリックプレイエリアＴＰとして選定されている。このトリックプレイエリアＴＰに、変速再生用のＨＰデータ（トリックプレイデータと呼ぶ）が記録される。同一のトリックプレイデータの記録は、同一アジマスのトラックに変速再生時の最大速度の倍速数と同じトラック数だけ繰り返される。例えば、変速再生時の最大速度が５倍速なら、倍速数は５であるから、図１０Ａ及び図１０Ｂに示すように、アジマスＡの５トラックＴ１〜Ｔ５に渡って、繰り返してトリックプレイデータが記録される。
【００６８】
このようにトリックプレイエリアを設定すると、再生時には、変速再生時の最大速度と共に、１．５倍速、２．５倍速、３．５倍速、…のように、（Ｎ＋０．５）倍速の変速再生が可能である。
【００６９】
つまり、変速再生時のテープ速度を、１．５倍速、２．５倍速、３．５倍速、…のように、（Ｎ＋０．５）倍速に設定すると、図１１及び図１２に示すように、２スキャンで同一アジマスのトラックの全ての部分が再生可能である。すなわち、図１１では最大変速再生速度を７倍速とし、３．５倍速で変速再生を行った場合を示すものである。この場合、図１２Ａに示すように、第１番目のスキャンで、アジマスＡのトラックの両端の部分が再生され、図１２Ｂに示すように、第２番目のスキャンで、アジマスＡのトラックの真中の部分が再生され、この２回のスキャンで、アジマスＡのトラックの１トラック分の全ての部分が再生される。アジマスＡの各トラックに同一のトリックプレイデータを繰り返して記録しておけば、この２回のスキャンでアジマスＡのトラックの１トラック上の全てのデータが再生できる。
【００７０】
したがって、変速再生時の最大速度を（２Ｎ＋１）倍速とすると、アジマスＡのトラック（２Ｎ＋１）トラックに繰り返してトリックプレイデータを記録しておくと、（２Ｎ＋１）倍速と、１．５倍速、２．５倍速、…、（Ｎ＋０．５）倍速でトリックプレイデータの再生が保証されることになり、これらの速度での変速再生が可能である。なお、リバース方向では（２Ｎ−１）倍速が最大となる。
【００７１】
このように、変速再生時の最大速度を（２Ｎ＋１）倍速とし、この最大速度でヘッドがトレースするエリアからトリックプレイエリアを選定し、同一アジマスのトラックに最大速度の倍速数と同じトラック数だけ同じデータを繰り返すようにすると、最大変速速度以外に、１．５倍速、２．５倍速、…（Ｎ＋０．５倍速）の変速再生が可能である。
【００７２】
ところで、ディジタルＶＴＲでは、図１３〜図１５に示すような、３種類のヘッド配置のものがある。図１３には、ＡアジマスのヘッドＨＡ１と、ＢアジマスのヘッドＨＢ１とが１８０度対向して配置され、９０００ｒｐｍで回転されるものが示されている。図１４には、ダブルアジマスヘッド構成の１ペアのヘッド（ＡアジマスのヘッドＨＡ２とＢアジマスのヘッドＨＢ２）が配置され、９０００ｒｐｍで回転されるものが示されている。図１５には、ダブルアジマスヘッド構成の２ペアのヘッド（ＡアジマスのヘッドＨＡ３とＢアジマスのヘッドＨＢ３からなるダブルアジマスヘッドと、ＡアジマスのヘッドＨＡ４とＢアジマスのヘッドＨＢ４とからなるダブルアジスマヘッド）が１８０度対向して配置され、４５００ｒｐｍで回転されるものが示されている。
【００７３】
このような３種類のドラム構成に対応するために、図１６及び図１７に示すような方法で、テープ上にトリックプレイデータが記録される。
【００７４】
すなわち、例えば、最大速度を５倍速と仮定すると、まず、１トラック分のトリックプレイデータがＡアジマスの５つのトラックＴ１１〜Ｔ１５に繰り返して記録される。そして、次の１トラック分のトリックデータが、それに対応するＢアジマスの５つのトラックＴ２１〜Ｔ２５に繰り返して記録される。
【００７５】
このようにすることにより、１８０度対向のヘッド（図１３）の場合は、図１６に示すように、ＡアジマスのヘッドＨＡ１で最初の１トラック分のデータが、次のＢアジマスのヘッドＨＢ１で次の１トラック分のデータが再生される。また、ダブルアジマスヘッド（図１４）の場合は、図１７に示すように、ＡアジマスのヘッドＨＡ２とＢアジマスのヘッドＨＢ２とで同時に１スキャンで２トラック分のデータが一度に再生される。
【００７６】
図１８は、各ドラム構成での可能なテープ速度をまとめたものである。図１８において、４５００ｒｐｍの場合は、同じテープ速度でヘッドのスキャン角が２倍になるので、結果として、最大テープ速度は、他の場合の半分になる。
【００７７】
ところで、ヘッドのトレースを詳細に検討したところ、複数種類のドラム構成に完全に対応させるためには、ダブルアジマスヘッドのギャップ間距離を考慮しなければならないことが分かった。つまり、図１９は、各ヘッド構成でのヘッドトレースを詳細に表したものである。図１９Ａは、１８０度対向の場合である。この場合、例えば、ＡアジマスのヘッドＨＡ１ではエリアＲＡ１がトレースされ、ＢアジマスのエリアＨＢ１ではエリアＲＢ１がトレースされる。これに対して、ダブルアジマスヘッドの場合、図１８Ｂに示すように、ＡアジマスのヘッドＨＡ２ではエリアＲＡ２がトレースされ、ＢアジマスのヘッドＨＢ２ではエリアＲＢ２がトレースされ、ＡアジマスのヘッドＨＡ２の再生エリアＲＡ２とＢアジマスのヘッドＨＢ２の再生エリアＲＢ２とでは、ギャップ間距離Ｄ１相当のずれが生じる。
【００７８】
そこで、図１９Ｃに示すように、ヘッドＢ側では、１８０度対向の場合のトレースエリアＲＡ１とダブルアジマスヘッドの場合のトレースエリアＲＢ２との共通部分に、トリックプレイエリアＴＰＢが設定され、ヘッドＡ側では、それと同じ所にトリックプレイエリアＴＰＡが設定される。トリックプレイエリアＴＰＡ、ＴＰＢをこのような位置に選ぶことで、ダブルアジマスヘッドの場合でも、１８０度対向ヘッドの場合でも、変速再生時にトリックプレイデータが確実に拾えるようになる。
【００７９】
図２０は、最大速度１７倍速としてときのトリックプレイエリアの一例である。ここでは、ダブルアジマス構成のギャップ間距離として５シンクブロックを仮定し、トリックプレイエリアの大きさは、実質４シンクブロックと仮定している。
【００８０】
偶数トラックでは、図２０Ａに示すように、１トラック中のシンクブロック＃２７〜３０、５０〜５３、７３〜７６、９７〜９９、１２０〜１２３、１４３〜１４６に、トリックプレイエリアが確保される。奇数トラックでは、図２０Ｂに示すように、１トラック中のシンクブロック＃２２〜２５、４５〜４８、６８〜７１、９２〜９４、１１５〜１１８、１３８〜１４１に、トリックプレイエリアが確保される。
【００８１】
図２１はこの時の可能テープ速度である。ダブルアジマス構成のとき、最大速度において、ギャップ間距離５シンクブロックという制限をうけるが、他の速度では、それに依存しない。
【００８２】
ところで、各トラックに３２シンクブロック分のトリックプレイエリアを確保し、各トラックに同じＨＰパケットデータが１７トラックずつ繰り返して記録すると、記録可能なＨＰパケットデータのレートは、
３２×７５×８×１０×３０／１７＝３３９Ｋｂｐｓ
となる。一方、Ｉフレームのデータレートは、ビットストリーム全体のデータレート、ＧＯＰ構造、入力の絵柄等に依存するが、Ｎ＝９、Ｍ＝３のＧＯＰ構造（図２５参照）を例にとると、
平均データ量：Ｉ／Ｐ＝２、Ｐ／Ｂ＝２．５
より、
１７．４×５／（１×６＋２．５×２＋５）＝５．４Ｍｂｐｓ
（ビデオデータ：１７．４Ｍｂｐｓと仮定する）
が平均的なＩフレームのデータレートとなる。
【００８３】
したがって、Ｉフレームのデータを全て重複エリアに記録しようとすると、記録にようする時間が長くなり、９フレーム毎に入力されるＩフレームの大部分が記録できなくなる。そこで、重複エリアに記録するＩフレームのデータレートを低減するために、Ｉフレームを構成する各ブロックから低域係数のみが抽出される。
【００８４】
このトリックプレイエリアに記録するＩフレームのデータレートを低減するために、Ｉフレームを構成する各ブロックから低域係数のみが抽出される。これにより、変速再生時の画質は解像度は劣化するが、変速再生であるので、十分な画質であると考えられる。
【００８５】
変速再生時、重複エリアは必ず再生される。このトリックプレイエリアの再生データは、バースト状となる。この変速再生時にトリックプレイエリアから再生されたＨＰパケットデータは、ビデオ伸長デコーダ７へ送られる。再生データはバースト状なので、データの無い時間は、エラーコードが挿入される。このため、データの無い時間のデータは、デコーダ７により無視される。ここで、テープ上にはＩフレームの１画面（低域係数のみ）が記録されているが、再生したデータをデコーダ７に送っただけでは、ディスプレイのタイミング（１／３０秒）とＩフレームの境界のタイミングが合う保証はなく、実際の画面の更新は、１画面まとめて更新されず、部分的に更新されてしまう。そこで、デコーダに再生データが送られる前に、１画面分のデータが完全に再生されたときに、データがデコーダに送られる。このようにすることにより、実際の画面も、１画面分まとまって更新され、見やすい変速再生画を得ることができる。
【００８６】
このように、この発明の一実施例では、記録時にＩフレームのデータから低域係数が抽出され、このデータを記録する間に、次の１フレーム分のＩフレームのデータがバッファされる。そして、再生時に、ビデオ伸長デコーダ７に再生データが送られる前に、１画面分のデータがバッファされ、このデータがビデオ伸長デコーダ７に送られる。これにより、変速再生時に、１画面分まとまって更新される。
【００８７】
このことを実現するために、バッファメモリが追加される。バッファメモリは、入出力部に設けられ、記録時と再生時とで共通に使うことができる。図２２は、そのためのバッファメモリを示すものである。記録時には、記録すべきデータは、バッファメモリ４１に供給される。記録データのヘッダがヘッダ検出回路４２で検出される。このヘッダ検出回路４２の出力により、バッファメモリ４１が制御される。再生時には、重複エリアから再生されたデータは、バッファメモリ４１に供給される。再生データのヘッダがヘッダ検出回路４３で検出される。このヘッダ検出回路４３の出力により、バッファメモリ４１が制御される。
【００８８】
図４で示したように、このようなディジタルＶＴＲでは、１トラックは、オーディオセクタＳＥＣ１と、ビデオセクタＳＥ２と、サブコードセクタＳＥＣ３とから構成される。ＡＴＶのデータストリームを直接記録する場合、ビデオセクタＳＥ２に全てのデータが記録できるので、オーディオセクタＳＥ１は不要である。そこで、オーディオセクタＳＥ１をトリックプレイエリアとして用いることが考えられる。
【００８９】
つまり、図２３に示すように、オーディオセクタＳＥ１がトリックプレイエリアとされる。最大ターゲットテープ速度が（２Ｎ＋１）倍速に選定され、（２Ｎ＋１）トラックに、同一のトリックプレイデータが記録される。
【００９０】
再生時には、（２Ｎ＋１）倍速では、オーディオセクタＳＥ１が必ず再生されるように、トラッキングがかけられる。また、１．５倍速、２．５倍速、…、（Ｎ＋０．５）倍速では、２回のスキャンで、同一アジマスのオーディオセクタＳＥ１のデータが全て再生される。したがって、（２Ｎ＋１）倍速と、１．５倍速、２．５倍速、…、（Ｎ＋０．５）倍速で、トリックプレイデータの再生が保証される。このように、オーディオセクタＳＥ２をトリックプレイエリアとすると、ビデオセクタ上にトリックプレイエリアを設ける必要が無くなる。
【００９１】
【発明の効果】
この発明によれば、テープ上にトリックプレイアリアが設けられ、このトリックプレイエリアに変速再生用のデータ（トリックプレイデータ）が記録される。この変速再生用のトリックプレイエリアは、最大変速再生時に再生可能となるエリアとし、同一アジマスの最大変速再生速度の倍速数に対応するトラック数だけ、変速再生用のデータを繰り返して記録される。この場合、変速再生速度を、１．５倍速、２．５倍速、…、（Ｎ＋０．５）倍速にすると、２スキャンで同一アジマスのトラックが全て再生されるので、最大変速再生速度と、１．５倍速、２．５倍速、…、（Ｎ＋０．５）倍速の変速再生が可能になる。
【図面の簡単な説明】
【図１】この発明が適用されたビデオ記録システムの一例のブロック図である。
【図２】この発明が適用されたディジタルＶＴＲの記録系の構成を示すブロック図である。
【図３】この発明が適用されたディジタルＶＴＲの再生系の構成を示すブロック図である。
【図４】この発明が適用されたディジタルＶＴＲのトラック構成の説明に用いる略線図である。
【図５】この発明が適用されたディジタルＶＴＲの説明に用いる略線図である。
【図６】この発明が適用されたディジタルＶＴＲの説明に用いる略線図である。
【図７】この発明が適用されたディジタルＶＴＲにおける記録動作の原理説明に用いるブロック図である。
【図８】この発明が適用されたディジタルＶＴＲにおけるトリックプレイエリアの説明に用いる略線図である。
【図９】この発明が適用されたディジタルＶＴＲの説明に用いる波形図である。
【図１０】この発明が適用されたディジタルＶＴＲにおける再生トラックの説明に用いる略線図である。
【図１１】この発明が適用されたディジタルＶＴＲにおける再生トラックの説明に用いる略線図である。
【図１２】この発明が適用されたディジタルＶＴＲの説明に用いる略線図である。
【図１３】この発明が適用されたディジタルＶＴＲのヘッド配置の説明に用いる平面図である。
【図１４】この発明が適用されたディジタルＶＴＲのヘッド配置の説明に用いる平面図である。
【図１５】この発明が適用されたディジタルＶＴＲのヘッド配置の説明に用いる平面図である。
【図１６】この発明が適用されたディジタルＶＴＲにおける再生トラックの説明に用いる略線図である。
【図１７】この発明が適用されたディジタルＶＴＲにおける再生トラックの説明に用いる略線図である。
【図１８】この発明が適用されたディジタルＶＴＲの説明に用いる略線図である。
【図１９】この発明が適用されたディジタルＶＴＲにおけるギャップ間距離の説明に用いる略線図である。
【図２０】この発明が適用されたディジタルＶＴＲの説明に用いる略線図である。
【図２１】この発明が適用されたディジタルＶＴＲの説明に用いる略線図である。
【図２２】この発明が適用されたディジタルＶＴＲの再生系の説明に用いるブロック図である。
【図２３】この発明が適用されたディジタルＶＴＲにおける再生トラックの説明に用いる略線図である。
【図２４】ＡＴＶ方式の送信系構成の一例を示すブロック図である。
【図２５】ＡＴＶ方式におけるＧＯＰの構成の説明に用いる略線図である。
【図２６】ＡＴＶ方式における送信パケットの構成を示す略線図である。
【図２７】ＡＴＶ方式における送信パケットの構成を示す略線図である。
【図２８】ＡＴＶ方式における送信パケットの構成を示す略線図である。
【符号の説明】
３  ディジタルＶＴＲ
４  インターフェース及びフォーマット変換部
５  記録再生部
【図１】
0003572659.tif 000003
【図２】
0003572659.tif 000004
【図３】
0003572659.tif 000005
【図４】
0003572659.tif 000006
【図５】
0003572659.tif 000007
【図６】
0003572659.tif 000008
【図７】
0003572659.tif 000009
【図８】
0003572659.tif 000010
【図９】
0003572659.tif 000011
【図１０】
0003572659.tif 000012
【図１１】
0003572659.tif 000013
【図１２】
0003572659.tif 000014
【図１３】
0003572659.tif 000015
【図１４】
0003572659.tif 000016
【図１５】
0003572659.tif 000017
【図１６】
0003572659.tif 000018
【図１７】
0003572659.tif 000019
【図１８】
0003572659.tif 000020
【図１９】
0003572659.tif 000021
【図２０】
0003572659.tif 000022
【図２１】
0003572659.tif 000023
【図２２】
0003572659.tif 000024
【図２４】
0003572659.tif 000025
【図２３】
0003572659.tif 000026
【図２５】
0003572659.tif 000027
【図２６】
0003572659.tif 000028
【図２７】
0003572659.tif 000029
【図２８】
0003572659.tif 000030